(57)【要約】【課題】  手書きによる書き込み等により原稿画像が複数回更新されている場合に、原稿自体に原稿画像の履歴情報を蓄積してこれを利用することのできる画像処理装置を提供する。【解決手段】  ＭＦＰ１００は、画像読み取り部１５０によりＩＣタグ付き原稿の画像を読み取って原稿画像データを取得し、ＩＣタグ読み書き部１４０により原稿画像の履歴情報として原稿の電子タグに書き込む。また、原稿画像データとＩＣタグに記憶されている履歴情報にかかる画像データの差分を抽出して得られた差分画像データを原稿画像の履歴情報として原稿の電子タグに書き込む。さらに、ＭＦＰ１００は、原稿の電子タグから所望の履歴情報を読み出して印刷し、または消去することができる。【選択図】            図４
2005223863.tif 000002
【特許請求の範囲】
【請求項１】
用紙の一部に電子データを記憶する電子タグを備えた電子タグ付き用紙に画像が形成されてなる原稿の原稿画像を読み取って画像データを取得する読み取り手段と、
前記読み取り手段により取得した画像データを原稿画像の履歴情報として原稿の電子タグに書き込む書き込み手段と、
を有することを特徴とする画像処理装置。
【請求項２】
原稿の電子タグから履歴情報を読み出す読み出し手段と、
前記読み出し手段により読み出した履歴情報のうち差分を抽出する基礎とするものを選択する選択手段と、
前記読み取り手段により取得した画像データと前記選択手段により選択した履歴情報にかかる画像データの差分を抽出する差分抽出手段とをさらに有し、
前記書き込み手段は、前記差分抽出手段により抽出した差分画像データを履歴情報として書き込むことを特徴とする、
請求項１に記載の画像処理装置。
【請求項３】
用紙の一部に電子データを記憶する電子タグを備えた電子タグ付き用紙に画像が形成されてなり前記電子タグには原稿画像の履歴情報が記憶されている原稿の電子タグから履歴情報を読み出す読み出し手段と、
前記読み出し手段により読み出した履歴情報のうち印刷するものを選択する選択手段と、
前記選択手段により選択した履歴情報にかかる画像データを印刷する印刷手段と、
を有することを特徴とする画像処理装置。
【請求項４】
前記選択手段により選択した履歴情報にかかる画像データが差分画像データである場合に前記差分画像データの差分を抽出する基礎とした履歴情報を検索する検索手段と、
前記差分画像データと前記検索手段により検索した履歴情報にかかる画像データを合成して元の画像データを復元する復元手段とをさらに有し、
前記印刷手段は、前記復元手段により復元した画像データを印刷することを特徴とする、
請求項３に記載の画像処理装置。
【請求項５】
用紙の一部に電子データを記憶する電子タグを備えた電子タグ付き用紙に画像が形成されてなり前記電子タグには原稿画像の履歴情報が記憶されている原稿の電子タグから履歴情報を読み出す読み出し手段と、
前記読み出し手段により読み出した履歴情報のうち消去するものを選択する選択手段と、
前記選択手段により選択した履歴情報を消去する消去手段と、
を有することを特徴とする画像処理装置。
【請求項６】
前記選択手段により選択した履歴情報が他の履歴情報にかかる差分画像データの差分を抽出する基礎とされている場合に前記他の履歴情報を検索する検索手段をさらに有し、
前記消去手段は、前記選択手段により選択した履歴情報と前記検索手段により検索した履歴情報を消去することを特徴とする、
請求項５に記載の画像処理装置。
【請求項７】
用紙の一部に電子データを記憶する電子タグを備えた電子タグ付き用紙に画像が形成されてなる原稿の原稿画像を読み取って画像データを取得する読み取りステップと、
前記読み取りステップにより取得した画像データを原稿画像の履歴情報として原稿の電子タグに書き込む書き込みステップと、
を有することを特徴とする画像処理方法。
【請求項８】
原稿の電子タグから履歴情報を読み出す読み出しステップと、
前記読み出しステップにより読み出した履歴情報のうち差分を抽出する基礎とするものを選択する選択ステップと、
前記読み取りステップにより取得した画像データと前記選択ステップにより選択した履歴情報にかかる画像データの差分を抽出する差分抽出ステップとをさらに有し、
前記書き込みステップは、前記差分抽出ステップにより抽出した差分画像データを履歴情報として書き込むことを特徴とする、
請求項７に記載の画像処理方法。
【請求項９】
用紙の一部に電子データを記憶する電子タグを備えた電子タグ付き用紙に画像が形成されてなり前記電子タグには原稿画像の履歴情報が記憶されている原稿の電子タグから履歴情報を読み出す読み出しステップと、
前記読み出しステップにより読み出した履歴情報のうち印刷するものを選択する選択ステップと、
前記選択ステップにより選択した履歴情報にかかる画像データを印刷する印刷ステップと、
を有することを特徴とする画像処理方法。
【請求項１０】
前記選択ステップにより選択した履歴情報にかかる画像データが差分画像データである場合に前記差分画像データの差分を抽出する基礎とした履歴情報を検索する検索ステップと、
前記差分画像データと前記検索ステップにより検索した履歴情報にかかる画像データを合成して元の画像データを復元する復元ステップとをさらに有し、
前記印刷ステップは、前記復元ステップにより復元した画像データを印刷することを特徴とする、
請求項９に記載の画像処理方法。
【請求項１１】
用紙の一部に電子データを記憶する電子タグを備えた電子タグ付き用紙に画像が形成されてなり前記電子タグには原稿画像の履歴情報が記憶されている原稿の電子タグから履歴情報を読み出す読み出しステップと、
前記読み出しステップにより読み出した履歴情報のうち消去するものを選択する選択ステップと、
前記選択ステップにより選択した履歴情報を消去する消去ステップと、
を有することを特徴とする画像処理方法。
【請求項１２】
前記選択ステップにより選択した履歴情報が他の履歴情報にかかる差分画像データの差分を抽出する基礎とされている場合に前記他の履歴情報を検索する検索ステップをさらに有し、
前記消去ステップは、前記選択ステップにより選択した履歴情報と前記検索ステップにより検索した履歴情報を消去することを特徴とする、
請求項１１に記載の画像処理方法。
【請求項１３】
用紙の一部に電子データを記憶する電子タグを備えた電子タグ付き用紙に画像が形成されてなる原稿の原稿画像を読み取って画像データを取得する読み取りステップと、
前記読み取りステップにより取得した画像データを原稿画像の履歴情報として原稿の電子タグに書き込む書き込みステップと、
を画像処理装置に実行させることを特徴とする画像処理プログラム。
【請求項１４】
原稿の電子タグから履歴情報を読み出す読み出しステップと、
前記読み出しステップにより読み出した履歴情報のうち差分を抽出する基礎とするものを選択する選択ステップと、
前記読み取りステップにより取得した画像データと前記選択ステップにより選択した履歴情報にかかる画像データの差分を抽出する差分抽出ステップとをさらに画像処理装置に実行させるものであり、
前記書き込みステップは、前記差分抽出ステップにより抽出した差分画像データを履歴情報として書き込むことを特徴とする、
請求項１３に記載の画像処理プログラム。
【請求項１５】
用紙の一部に電子データを記憶する電子タグを備えた電子タグ付き用紙に画像が形成されてなり前記電子タグには原稿画像の履歴情報が記憶されている原稿の電子タグから履歴情報を読み出す読み出しステップと、
前記読み出しステップにより読み出した履歴情報のうち印刷するものを選択する選択ステップと、
前記選択ステップにより選択した履歴情報にかかる画像データを印刷する印刷ステップと、
を画像処理装置に実行させることを特徴とする画像処理プログラム。
【請求項１６】
前記選択ステップにより選択した履歴情報にかかる画像データが差分画像データである場合に前記差分画像データの差分を抽出する基礎とした履歴情報を検索する検索ステップと、
前記差分画像データと前記検索ステップにより検索した履歴情報にかかる画像データを合成して元の画像データを復元する復元ステップとをさらに画像処理装置に実行させるものであり、
前記印刷ステップは、前記復元ステップにより復元した画像データを印刷することを特徴とする、
請求項１５に記載の画像処理プログラム。
【請求項１７】
用紙の一部に電子データを記憶する電子タグを備えた電子タグ付き用紙に画像が形成されてなり前記電子タグには原稿画像の履歴情報が記憶されている原稿の電子タグから履歴情報を読み出す読み出しステップと、
前記読み出しステップにより読み出した履歴情報のうち消去するものを選択する選択ステップと、
前記選択ステップにより選択した履歴情報を消去する消去ステップと、
を画像処理装置に実行させることを特徴とする画像処理プログラム。
【請求項１８】
前記選択ステップにより選択した履歴情報が他の履歴情報にかかる差分画像データの差分を抽出する基礎とされている場合に前記他の履歴情報を検索する検索ステップをさらに画像処理装置に実行させるものであり、
前記消去ステップは、前記選択ステップにより選択した履歴情報と前記検索ステップにより検索した履歴情報を消去することを特徴とする、
請求項１７に記載の画像処理プログラム。
【請求項１９】
請求項１３〜１８のいずれか１項に記載の画像形成プログラムを記録したコンピュータ読み取り可能な記録媒体。
【発明の詳細な説明】
【技術分野】
【０００１】
本発明は、電子タグを備えた原稿を取り扱うための画像処理装置に関し、特に、手書きによる書き込み等により原稿画像が複数回更新されている場合に、原稿自体に原稿画像の履歴情報を蓄積してこれを利用することのできる画像処理装置に関する。
【背景技術】
【０００２】
印刷物の画像が手書きによる書き込み等によって複数回に亘って更新されている場合に、書き込み前の元画像や特定回の更新時の画像を取得したい場合がある。かかる場合に、通常元画像や各更新時の画像を印刷してファイリングしておくことが行われており、紙資源やファイリングスペースの無駄を生じていた。
【０００３】
これに対し、更新された原稿画像を読み取って得られた画像データをサーバ等に送信して履歴情報として保存しておく画像処理装置が知られている（例えば、特許文献１参照）。しかし、かかる装置では、ネットワーク等を介してサーバにアクセスする必要があるため迅速性に欠け、またネットワーク設備のない環境では利用できない等の問題があった。
【０００４】
一方、印刷用紙の一部にＩＣタグを埋め込んだＩＣタグ付き印刷用紙を利用して印刷物の属性情報を印刷物自体に保持できるようにしたもの、およびかかる印刷物を複写する際にＩＣタグから印刷物の属性情報を読み出して利用することのできる画像形成装置が知られている（例えば、特許文献２参照）。しかし、かかる印刷物および装置でも、前記従来技術と同様に、手書きによる書き込み等により画像が複数回更新されている場合に、以前の更新画像等を利用することはできなかった。
【特許文献１】特開２０００−１１５４２２号公報
【特許文献２】特開２００１−２４８４５号公報
【発明の開示】
【発明が解決しようとする課題】
【０００５】
本発明は上記従来技術の有する問題点に鑑みなされたものであり、その目的とするところは、手書きによる書き込み等により原稿画像が複数回更新されている場合に、原稿自体に原稿画像の履歴情報を蓄積してこれを利用することのできる画像処理装置を提供することにある。
【課題を解決するための手段】
【０００６】
本発明の上記目的は、下記の手段によって達成される。
【０００７】
（１）用紙の一部に電子データを記憶する電子タグを備えた電子タグ付き用紙に画像が形成されてなる原稿の原稿画像を読み取って画像データを取得する読み取り手段と、前記読み取り手段により取得した画像データを原稿画像の履歴情報として原稿の電子タグに書き込む書き込み手段と、を有することを特徴とする画像処理装置。
【０００８】
（２）原稿の電子タグから履歴情報を読み出す読み出し手段と、前記読み出し手段により読み出した履歴情報のうち差分を抽出する基礎とするものを選択する選択手段と、前記読み取り手段により取得した画像データと前記選択手段により選択した履歴情報にかかる画像データの差分を抽出する差分抽出手段とをさらに有し、前記書き込み手段は、前記差分抽出手段により抽出した差分画像データを履歴情報として書き込むことを特徴とする、（１）に記載の画像処理装置。
【０００９】
（３）用紙の一部に電子データを記憶する電子タグを備えた電子タグ付き用紙に画像が形成されてなり前記電子タグには原稿画像の履歴情報が記憶されている原稿の電子タグから履歴情報を読み出す読み出し手段と、前記読み出し手段により読み出した履歴情報のうち印刷するものを選択する選択手段と、前記選択手段により選択した履歴情報にかかる画像データを印刷する印刷手段と、を有することを特徴とする画像処理装置。
【００１０】
（４）前記選択手段により選択した履歴情報にかかる画像データが差分画像データである場合に前記差分画像データの差分を抽出する基礎とした履歴情報を検索する検索手段と、前記差分画像データと前記検索手段により検索した履歴情報にかかる画像データを合成して元の画像データを復元する復元手段とをさらに有し、前記印刷手段は、前記復元手段により復元した画像データを印刷することを特徴とする、（３）に記載の画像処理装置。
【００１１】
（５）用紙の一部に電子データを記憶する電子タグを備えた電子タグ付き用紙に画像が形成されてなり前記電子タグには原稿画像の履歴情報が記憶されている原稿の電子タグから履歴情報を読み出す読み出し手段と、前記読み出し手段により読み出した履歴情報のうち消去するものを選択する選択手段と、前記選択手段により選択した履歴情報を消去する消去手段と、を有することを特徴とする画像処理装置。
【００１２】
（６）前記選択手段により選択した履歴情報が他の履歴情報にかかる差分画像データの差分を抽出する基礎とされている場合に前記他の履歴情報を検索する検索手段をさらに有し、前記消去手段は、前記選択手段により選択した履歴情報と前記検索手段により検索した履歴情報を消去することを特徴とする、（５）に記載の画像処理装置。
【００１３】
（７）用紙の一部に電子データを記憶する電子タグを備えた電子タグ付き用紙に画像が形成されてなる原稿の原稿画像を読み取って画像データを取得する読み取りステップと、前記読み取りステップにより取得した画像データを原稿画像の履歴情報として原稿の電子タグに書き込む書き込みステップと、を有することを特徴とする画像処理方法。
【００１４】
（８）原稿の電子タグから履歴情報を読み出す読み出しステップと、前記読み出しステップにより読み出した履歴情報のうち差分を抽出する基礎とするものを選択する選択ステップと、前記読み取りステップにより取得した画像データと前記選択ステップにより選択した履歴情報にかかる画像データの差分を抽出する差分抽出ステップとをさらに有し、前記書き込みステップは、前記差分抽出ステップにより抽出した差分画像データを履歴情報として書き込むことを特徴とする、（７）に記載の画像処理方法。
【００１５】
（９）用紙の一部に電子データを記憶する電子タグを備えた電子タグ付き用紙に画像が形成されてなり前記電子タグには原稿画像の履歴情報が記憶されている原稿の電子タグから履歴情報を読み出す読み出しステップと、前記読み出しステップにより読み出した履歴情報のうち印刷するものを選択する選択ステップと、前記選択ステップにより選択した履歴情報にかかる画像データを印刷する印刷ステップと、を有することを特徴とする画像処理方法。
【００１６】
（１０）前記選択ステップにより選択した履歴情報にかかる画像データが差分画像データである場合に前記差分画像データの差分を抽出する基礎とした履歴情報を検索する検索ステップと、前記差分画像データと前記検索ステップにより検索した履歴情報にかかる画像データを合成して元の画像データを復元する復元ステップとをさらに有し、前記印刷ステップは、前記復元ステップにより復元した画像データを印刷することを特徴とする、（９）に記載の画像処理方法。
【００１７】
（１１）用紙の一部に電子データを記憶する電子タグを備えた電子タグ付き用紙に画像が形成されてなり前記電子タグには原稿画像の履歴情報が記憶されている原稿の電子タグから履歴情報を読み出す読み出しステップと、前記読み出しステップにより読み出した履歴情報のうち消去するものを選択する選択ステップと、前記選択ステップにより選択した履歴情報を消去する消去ステップと、を有することを特徴とする画像処理方法。
【００１８】
（１２）前記選択ステップにより選択した履歴情報が他の履歴情報にかかる差分画像データの差分を抽出する基礎とされている場合に前記他の履歴情報を検索する検索ステップをさらに有し、前記消去ステップは、前記選択ステップにより選択した履歴情報と前記検索ステップにより検索した履歴情報を消去することを特徴とする、（１１）に記載の画像処理方法。
【００１９】
（１３）用紙の一部に電子データを記憶する電子タグを備えた電子タグ付き用紙に画像が形成されてなる原稿の原稿画像を読み取って画像データを取得する読み取りステップと、前記読み取りステップにより取得した画像データを原稿画像の履歴情報として原稿の電子タグに書き込む書き込みステップと、を画像処理装置に実行させることを特徴とする画像処理プログラム。
【００２０】
（１４）原稿の電子タグから履歴情報を読み出す読み出しステップと、前記読み出しステップにより読み出した履歴情報のうち差分を抽出する基礎とするものを選択する選択ステップと、前記読み取りステップにより取得した画像データと前記選択ステップにより選択した履歴情報にかかる画像データの差分を抽出する差分抽出ステップとをさらに画像処理装置に実行させるものであり、前記書き込みステップは、前記差分抽出ステップにより抽出した差分画像データを履歴情報として書き込むことを特徴とする、（１３）に記載の画像処理プログラム。
【００２１】
（１５）用紙の一部に電子データを記憶する電子タグを備えた電子タグ付き用紙に画像が形成されてなり前記電子タグには原稿画像の履歴情報が記憶されている原稿の電子タグから履歴情報を読み出す読み出しステップと、前記読み出しステップにより読み出した履歴情報のうち印刷するものを選択する選択ステップと、前記選択ステップにより選択した履歴情報にかかる画像データを印刷する印刷ステップと、を画像処理装置に実行させることを特徴とする画像処理プログラム。
【００２２】
（１６）前記選択ステップにより選択した履歴情報にかかる画像データが差分画像データである場合に前記差分画像データの差分を抽出する基礎とした履歴情報を検索する検索ステップと、前記差分画像データと前記検索ステップにより検索した履歴情報にかかる画像データを合成して元の画像データを復元する復元ステップとをさらに画像処理装置に実行させるものであり、前記印刷ステップは、前記復元ステップにより復元した画像データを印刷することを特徴とする、（１５）に記載の画像処理プログラム。
【００２３】
（１７）用紙の一部に電子データを記憶する電子タグを備えた電子タグ付き用紙に画像が形成されてなり前記電子タグには原稿画像の履歴情報が記憶されている原稿の電子タグから履歴情報を読み出す読み出しステップと、前記読み出しステップにより読み出した履歴情報のうち消去するものを選択する選択ステップと、前記選択ステップにより選択した履歴情報を消去する消去ステップと、を画像処理装置に実行させることを特徴とする画像処理プログラム。
【００２４】
（１８）前記選択ステップにより選択した履歴情報が他の履歴情報にかかる差分画像データの差分を抽出する基礎とされている場合に前記他の履歴情報を検索する検索ステップをさらに画像処理装置に実行させるものであり、前記消去ステップは、前記選択ステップにより選択した履歴情報と前記検索ステップにより検索した履歴情報を消去することを特徴とする、（１７）に記載の画像処理プログラム。
【００２５】
（１９）（１３）〜（１８）のいずれか１つに記載の画像形成プログラムを記録したコンピュータ読み取り可能な記録媒体。
【発明の効果】
【００２６】
本発明の画像処理装置によれば、電子タグ付き原稿の原稿画像を読み取って得られた画像データを原稿画像の履歴情報として原稿の電子タグに書き込むので、手書きによる書き込み等により原稿画像が複数回更新されている場合に、原稿自体に原稿画像の更新履歴情報を蓄積することができる。従って、本発明の画像処理装置によれば、元画像や各更新画像を印刷してファイリングしておく必要がないので、紙資源やファイリングスペースの無駄をなくすことができるとともに、サーバ等を利用しないので高速に処理することが可能であり、ネットワーク設備のない環境でも履歴情報を利用することができる。
【００２７】
また、本発明の画像処理装置によれば、原稿画像データと原稿の電子タグに記憶された履歴情報にかかる画像データの差分を抽出して得られた差分画像データを履歴情報として原稿の電子タグに書き込むので、容量を抑えて効率よく電子タグ内に履歴情報を蓄積することができる。
【００２８】
また、本発明の画像処理装置によれば、原稿の電子タグに記憶された所望の履歴情報にかかる画像データを読み出して印刷することができるので、所望の更新時の原稿画像を簡便かつ迅速に取得することができる。
【００２９】
また、本発明の画像処理装置によれば、印刷しようとする履歴情報にかかる画像データが差分画像データである場合に、差分抽出の基礎とした基礎画像データを検索し、差分画像データと基礎画像データを合成して元画像データを取得するので、履歴情報にかかる画像データが差分画像データであっても元画像データを完全に復元して印刷することができる。
【００３０】
また、本発明の画像処理装置によれば、原稿の電子タグに記憶された任意の履歴情報を読み出して消去することができるので、不要な履歴情報を整理して履歴情報を簡便に管理していくことができる。
【００３１】
さらに、本発明の画像処理装置によれば、消去しようとする履歴情報が他の履歴情報にかかる差分画像データの差分抽出の基礎とされている場合に当該差分画像データを検索して同時に消去するので、基礎画像データが消去されることにより不要となる差分画像データを簡便に整理することができる。
【発明を実施するための最良の形態】
【００３２】
以下、本発明の実施の形態を、図面を参照して詳細に説明する。
【００３３】
図１および図２は、それぞれ、本発明の実施形態にかかる画像処理装置としてのＭＦＰ（Multiple Function Peripheral  多機能周辺機器）１００の構成を示すブロック図および概略図である。図１および図２に示すように、ＭＦＰ１００は、制御部１１０、記憶部１２０、操作部１３０、ＩＣタグ読み書き部１４０、画像読み取り部１５０、印刷部１６０、通信インタフェース１７０を備えており、これらは信号をやり取りするためのバス１８０を介して相互に接続されている。
【００３４】
制御部１１０はＣＰＵであり、プログラムにしたがって上記各部の制御や各種の演算処理等を行う。
【００３５】
記憶部１２０は、予め各種プログラムやパラメータを格納しておくＲＯＭ、作業領域として一時的にプログラムやデータを記憶するＲＡＭ、各種プログラムやパラメータを格納し、または画像処理により得られた画像データ等を一時的に保存するために使用されるハードディスク等からなる。
【００３６】
操作部１３０は、各種情報を表示し、または各種設定入力を行うタッチパネル、コピー枚数等を設定するテンキー、動作の開始を指示するスタートキー、動作の停止を指示するストップキー、各種設定条件を初期化するリセットキー等の各種固定キー、表示ランプ等からなる。
【００３７】
ＩＣタグ読み書き部１４０は、後述するＩＣタグ付き原稿の非接触型ＩＣタグに記録されている電子データを読み取り、または当該ＩＣタグに電子データを書き込む。ＩＣタグ読み書き部１４０とＩＣタグとの間の通信方式としては、国際標準規格のＩＳＯ１４４４３、ＩＳＯ１５６９３等に規定されるものが挙げられ、１３５ＫＨｚ、１３．５６ＭＨｚ、２．４５ＧＨｚ等の周波数帯が利用される。但し、利用する通信方式はこれらに限定されるものではなく、その他の既知の通信方式や独自の通信方式を利用するものであってもよい。また、ＩＣタグ読み書き部１４０は、通信可能な範囲内にある複数のＩＣタグからそれぞれに記録されている電子データを一度に読み取ることも可能である。ＩＣタグ読み書き部１４０は、原稿台上にセットされたＩＣタグ付き原稿以外のＭＦＰ１００の近辺にあるＩＣタグを検出してしまうことによる誤操作を防止するため、所定の適切な通信距離、例えば数ｍｍから数十ｃｍの近距離通信用に設計されたものが用いられる。
【００３８】
画像読み取り部１５０は、原稿台の所定の読み取り位置にセットされた原稿に蛍光ランプ等の光源で光を当て、その反射光をＣＣＤやＣＩＳ等の受光素子で光電変換して、その電気信号から画像データ（ビットマップデータ）を生成する。
【００３９】
印刷部１６０は、画像データを電子写真方式により帯電、露光、現像、転写および定着の各工程を経て印刷用紙に画像データを印刷する。ただし、本発明における印刷部１６０の印刷方式はこれに限定されるものではなく、電子写真方式以外にも、インパクト方式、熱転写方式、インクジェット方式等によるものであってもよい。
【００４０】
通信インタフェース１７０は、外部機器との間で画像データ等の入出力を行うためのインタフェースであり、イーサネット（登録商標）、トークンリング、ＦＤＤＩ等の規格によるネットワークインタフェースや、ＵＳＢ、ＩＥＥＥ１３９４等のシリアルインタフェース、ＳＣＳＩ、ＩＥＥＥ１２８４等のパラレルインタフェース、Ｂｌｕｅｔｏｏｔｈ（ブルートゥース）、ＩＥＥＥ８０２.１１、ＨｏｍｅＲＦ、ＩｒＤＡ等の無線通信インタフェース等のローカル接続インタフェース、電話回線に接続するための電話回線インタフェース等を利用することができる。
【００４１】
ＭＦＰ１００は、上記構成により、原稿画像を読み取って画像データを外部機器に送信するスキャナとしての機能、外部機器から受信した画像データを印刷出力するプリンタとしての機能、原稿画像を読み取って画像データを印刷出力する複写機としての機能、および画像データを電話回線を介して送受信するファクシミリとしての機能を兼ね備えるものである。但し、ＭＦＰ１００は、上述した構成要素以外の構成要素を含んでいてもよく、あるいは、上述した構成要素のうちの一部を含んでいなくてもよい。
【００４２】
つぎに、本実施形態にかかるＩＣタグ付き原稿を図３を参照して説明する。図３は、本実施形態にかかるＩＣタグ付き原稿２００の構成を示す概略図である。図３に示すように、ＩＣタグ付き原稿２００は、印刷用紙２１１の一部分にＩＣタグ２１２が埋め込まれてなるＩＣタグ付き印刷用紙２１０上に画像２２０が画像形成されてなる。
【００４３】
ここで、印刷用紙２１１は、紙、布、プラスチック、金属等からなるシート状の印刷用記録材である。また、ＩＣタグ２１２は無線通信を利用した非接触型の電子タグであり、内部にＩＣチップからなる記憶部とコイルからなるアンテナ部とを有しており（いずれも図示せず）、ＩＣタグ読み書き部１４０から放出される電波を受信して電磁誘導結合によりＩＣタグ読み書き部１４０と無線通信を行い、電子データの読み出しおよび書き込みを行うことができる。近年、厚さ０．２５ｍｍ等の微小なＩＣタグが開発され印刷用紙に埋め込むことが可能となるとともに、ＩＣチップの高容量化が進みＩＣタグに記録可能な情報量も飛躍的に増大することが見込まれている。ただし、本発明で利用される電子タグは、電子データを送受信する通信インタフェースと電子データを記憶する記憶部を有していれば特に限定されるものではなく、上述の非接触型のＩＣタグ以外にも、接点式の通信インタフェースにより通信を行う接触型のＩＣタグ等であってもよい。
【００４４】
ＩＣタグ２１２の記憶部には電子データがＸＭＬ形式により記述されており、印刷物固有の原稿ＩＤ、ページ番号、複写可能か否かを示す複写可否等のＩＣタグ付き原稿２００の属性情報や、ＩＣタグ付き印刷用紙２１０上に形成された画像にかかる画像データ等が記録されている。ただし、ＩＣタグ２１２に電子データとして記録される情報および電子データの形式は、これらの例に限定されるものではない。
【００４５】
また、図３において、ＩＣタグ付き印刷用紙２１０は、必ずしも図示した形態に限られるものではなく、例えばＩＣタグ２１２が印刷用紙２１１の略全体を占めるように埋め込まれているものであってもよいし、複数個のＩＣタグ２１２が印刷用紙２１１の略全体に分散して埋め込まれているものであってもよい。
【００４６】
つぎに、本実施形態におけるＭＦＰ１００の動作の概要を説明する。図４は、本実施形態におけるＭＦＰ１００の画像処理の手順を示すフローチャートである。なお、図４のフローチャートにより示されるアルゴリズムは、ＭＦＰ１００の記憶部１２０に制御プログラムとして記憶されており、動作開始の際に制御部１１０により読み出されて実行される。
【００４７】
図４において、ＭＦＰ１００は、ＩＣタグ読み書き部１４０によりＩＣタグを検出するまで待機する（Ｓ１０１のＮＯ）。ユーザにより原稿台にＩＣタグ付き原稿がセットされると、ＭＦＰ１００はＩＣタグ読み書き部１４０により原稿のＩＣタグを検出し（Ｓ１０１のＹＥＳ）、図９の画面３１０のように、操作部１３０のタッチパネルに履歴情報利用指示画面を表示して（Ｓ１０２）、履歴情報を利用するか否かの指示入力を受け付ける（Ｓ１０３）。
【００４８】
ステップＳ１０３で履歴情報を利用しない旨の指示入力があった場合は（Ｓ１０３のＮＯ）、当該画像処理を終了する。一方、ステップＳ１０３で履歴情報を利用する旨の指示入力があった場合は（Ｓ１０３のＹＥＳ）、ＩＣタグ読み書き部１４０により原稿のＩＣタグに記憶されている当該原稿にかかる原稿画像の履歴情報を記録した履歴情報テーブルを記憶部１２０に読み出す（Ｓ１０４）。図１０は、本実施形態においてＭＦＰ１００が原稿のＩＣタグから読み出す履歴情報テーブルの一例を示す図である。図１０に示すように、履歴情報テーブル１００には、原稿画像データ、および当該原稿画像データの作成日時、保存形式、見出し、原稿サイズ、解像度、スキャンモード等の原稿画像の履歴情報が記録されている。このように、原稿画像が更新されるごとに原稿画像を読み取って得られた原稿画像データをＩＣタグに保存しておくことにより、原稿自体に原稿画像の更新履歴情報を蓄積していくことができる。これにより、原稿画像が更新される度に更新された原稿画像を印刷出力してファイリングしておく必要がなくなり、紙資源やファイリングスペースの無駄をなくすことができるとともに、サーバ等を利用せずに原稿画像の更新履歴情報を管理することができ、ネットワークアクセス等が不要であるため高速に処理することが可能であり、ネットワーク設備のない環境でも履歴情報を利用することができるものである。
【００４９】
次いで、図１１の画面３２０のように、操作部１３０のタッチパネルに履歴情報処理選択画面を表示し（Ｓ１０５）、履歴情報に対する処理の選択入力を受け付ける（Ｓ１０６）。ここで、ＭＦＰ１００では履歴情報に対する処理として、画面３２０のように、新しく履歴情報を保存する「履歴保存」、保存されている履歴情報にかかる画像を出力する「画像出力」および保存されている履歴情報を消去する「履歴消去」のいずれかの処理を選択入力することができるように構成されている。
【００５０】
ステップＳ１０６で履歴保存処理の選択入力があった場合は（Ｓ１０６のＹＥＳ）、履歴保存処理を実行する（Ｓ１０７）。図５は、本実施形態においてＭＦＰ１００が実行する履歴保存処理の手順を説明するためのフローチャートである。図５において、ＭＦＰ１００は、図１２の画面３３０のように、操作部１３０のタッチパネルに履歴保存条件設定画面を表示して（Ｓ２０１）、履歴保存条件の設定入力があるまで待機する（Ｓ２０２のＮＯ）。ここで、ＭＦＰ１００では履歴保存条件として、画面３３０のように、履歴保存モード、見出し、原稿サイズ、解像度、スキャンモード等を設定入力することができるように構成されている。
【００５１】
履歴保存モードとしては、「全体保存」または「差分保存」のいずれかのモードを指定入力することができる。全体保存モードとは、原稿画像を光学読み取りして得られた原稿画像データをそのまま履歴情報として保存するモードであり、差分保存モードとは、原稿画像を光学読み取りして得られた原稿画像データから、全体保存されている所望の履歴情報にかかる画像データを基礎として差分を抽出して得られた差分画像データを履歴情報として保存するモードである。
【００５２】
図１３は、本実施形態におけるＭＦＰ１００の履歴保存モードを説明するための概念図である。図１３において、基礎画像データ４１０は完全保存モードにより原稿のＩＣタグ内に履歴保存されている画像データであり、原稿画像データ４２０は当該履歴保存処理において新たに原稿画像を光学読み取りして得られた画像データである。当該履歴保存処理が完全保存モードにより実行される場合は、原稿画像データ４２０がそのまま履歴情報として原稿のＩＣタグ内に保存される。また、当該履歴保存処理が基礎画像データ４１０を差分抽出の基礎として差分保存モードにより実行される場合には、基礎画像データ４１０と原稿画像データ４２０の差分として抽出された差分画像データ４３０が履歴情報として原稿のＩＣタグ内に保存される。
【００５３】
ステップＳ２０２で履歴保存条件の設定入力があると（Ｓ２０２のＹＥＳ）、履歴保存モードとして全体保存が指定されている場合は（Ｓ２０３のＹＥＳ）、画像読み取り部１５０により原稿画像を読み取って原稿画像データを取得し（Ｓ２０４）、得られた原稿画像データを履歴保存条件とともにＩＣタグ読み書き部１４０により原稿のＩＣタグに履歴情報として書き込み（Ｓ２０５）、履歴保存処理を終了する。
【００５４】
一方、ステップ２０３で履歴保存モードとして差分保存が指定されている場合は（Ｓ２０３のＮＯ）、操作部１３０のタッチパネルに履歴情報指定画面（図示せず）を表示して、差分抽出の基礎とする基礎画像データにかかる履歴情報の指定入力があるまで待機する（Ｓ２０６のＮＯ）。そして、基礎とする履歴情報の指定入力を受け付けると（Ｓ２０６のＹＥＳ）、ステップＳ２０２で設定された履歴保存条件に従って画像読み取り部１５０により原稿画像を読み取って原稿画像データを取得し（Ｓ２０７）、得られた原稿画像データから差分画像データの抽出処理を行う（Ｓ２０８）。
【００５５】
図６および図１４は、それぞれ、本実施形態においてＭＦＰ１００が実行する差分画像データ抽出処理の手順を説明するためのフローチャートおよび概念図である。図６および図１４において、ＭＦＰ１００は、ＩＣタグ読み書き部１４０により原稿のＩＣタグからステップＳ２０６で指定された履歴情報にかかる基礎画像データ４１０を記憶部１２０に読み出す。ついで、基礎画像データ４１０およびステップＳ２０７で原稿画像を読み取って取得した原稿画像データ４２０に対して二値化処理（Ｓ３０２）、および解像度の低減化処理を施して（Ｓ３０３）、それぞれ画像データ４１１および４２１を得る。さらに、画像データ４１１および４２１を比較して差異部分を検出し、画像データ４２２を取得する（Ｓ３０４）。そして、得られた画像データ４２２の前記差異部分を差分画像と判断して、原稿画像データ４２０から前記差異部分に対応する差分画像を抽出して差分画像データ４３０を取得し（Ｓ３０５）、差分画像データ抽出処理を終了して図５のステップＳ２０８に戻る。
【００５６】
そして、ＭＦＰ１００は、ステップＳ２０８で得られた差分画像データを履歴保存条件とともにＩＣタグ読み書き部１４０により原稿のＩＣタグに履歴情報として書き込み（Ｓ２０５）、履歴保存処理を終了する。
【００５７】
一方、図４のステップＳ１０６で画像出力処理の選択入力があった場合は（Ｓ１０６のＮＯおよびＳ１０８のＹＥＳ）、画像出力処理を実行する（Ｓ１０９）。図７は、本実施形態においてＭＦＰ１００が実行する画像出力処理の手順を説明するためのフローチャートである。図７において、ＭＦＰ１００は、図１５の画面３４０のように、操作部１３０のタッチパネルに履歴情報指定画面を表示して（Ｓ４０１）、画像出力する履歴情報の指定入力があるまで待機する（Ｓ４０２のＮＯ）。ここで、画面３４０では、左欄にステップＳ１０４で読み出した履歴情報テーブル中の履歴作成日が選択可能に列挙されており、右欄に選択されている履歴作成日時にかかる履歴情報が表示される構成となっている。
【００５８】
ステップＳ４０２で履歴情報の指定入力があると（Ｓ４０２のＹＥＳ）、指定された履歴情報にかかる画像データが全体保存モードにより保存されたものであるか差分保存モードにより保存されたものであるかを判断し（Ｓ４０３）、全体保存モードにより保存されたものである場合は（Ｓ４０３のＹＥＳ）、ＩＣタグ読み書き部１４０により原稿のＩＣタグから指定された履歴情報にかかる画像データを記憶部１２０に読み出し（Ｓ４０４）、読み出した画像データを印刷部１６０により印刷出力して（Ｓ４０５）、画像出力処理を終了する。
【００５９】
また、ステップ４０３で指定された履歴情報にかかる画像データが差分保存モードにより保存されたものである場合は（Ｓ４０３のＮＯ）、ＩＣタグ読み書き部１４０により原稿のＩＣタグから指定された履歴情報にかかる差分画像データおよびその差分抽出の基礎とした履歴情報にかかる基礎画像データを記憶部１２０に読み出し（Ｓ４０６）、読み出した差分画像データと基礎画像データを合成して原稿画像データを復元し（Ｓ４０７）、復元した原稿画像データを印刷部１６０により印刷出力して（Ｓ４０５）、画像出力処理を終了する。
【００６０】
一方、図４のステップＳ１０６で履歴消去処理の選択入力があった場合は（Ｓ１０６のＮＯおよびＳ１０８のＮＯ）、履歴消去処理を実行する（Ｓ１１０）。図８は、本実施形態においてＭＦＰ１００が実行する履歴消去処理の手順を説明するためのフローチャートである。図８において、ＭＦＰ１００は、図１６の画面３５０のように、操作部１３０のタッチパネルに履歴情報指定画面を表示して（Ｓ５０１）、消去する履歴情報の指定入力があるまで待機する（Ｓ５０２のＮＯ）。ここで、画面３５０では、左欄にステップＳ１０４で読み出した履歴情報テーブル中の履歴作成日が選択可能に列挙されており、右欄に選択されている履歴作成日時にかかる履歴情報が表示される構成となっている。
【００６１】
ステップＳ５０２で履歴情報の指定入力があると（Ｓ５０２のＹＥＳ）、指定された履歴情報にかかる画像データが全体保存モードにより保存されたものであるか差分保存モードにより保存されたものであるかを判断し（Ｓ５０３）、差分保存モードにより保存されたものである場合は（Ｓ５０３のＮＯ）、図１７の画面３６０のように、操作部１３０のタッチパネルにステップＳ５０２で指定された履歴情報の消去確認画面を表示して（Ｓ５０４）、履歴情報の消去の実効命令があるまで待機する（Ｓ５０５のＮＯ）。そして、履歴情報の消去の実効命令を受け付けると（Ｓ５０５のＹＥＳ）、ＩＣタグ読み書き部１４０により原稿のＩＣタグ内の履歴情報テーブルから指定された履歴情報を消去して（Ｓ５０６）、履歴情報の消去処理を終了する。
【００６２】
また、ステップ５０３で指定された履歴情報にかかる画像データが全体保存モードにより保存されたものである場合は（Ｓ５０３のＹＥＳ）、記憶部１２０に読み出された履歴情報テーブルから、指定された履歴情報を基礎とする差分画像データを含む履歴情報を検索し（Ｓ５０７）、図１８の画面３７０のように、操作部１３０のタッチパネルに、指定された履歴情報および差分画像データを含む履歴情報の消去確認画面を表示して（Ｓ５０８）、履歴情報の消去の実効命令があるまで待機する（Ｓ５０５のＮＯ）。そして、履歴情報の消去の実効命令を受け付けると（Ｓ５０５のＹＥＳ）、ＩＣタグ読み書き部１４０により原稿のＩＣタグ内の履歴情報テーブルから指定された履歴情報および差分画像データを含む履歴情報を消去して（Ｓ５０６）、履歴情報の消去処理を終了する。
【００６３】
本発明は、上述した実施形態のみに限定されるものではなく、特許請求の範囲内において、種々改変することができる。
【００６４】
例えば、ＭＦＰ１００は、画像データを印刷部１６０により印刷するだけでなく、出力インタフェース１５３を介して外部機器に送信する構成としてもよい。
【００６５】
また、ＭＦＰ１００は、印刷部１６０にＩＣタグ書き込み部を設けて、画像データをＩＣタグ付き印刷用紙に印刷するとともにＩＣタグ付き印刷用紙のＩＣタグに画像データを履歴情報として書き込む構成としてもよい。これにより、ＩＣタグ付き原稿からＩＣタグ付き印刷用紙への複写を、原稿画像の履歴情報を伴って行うことができる。
【００６６】
本発明による画像形成装置および画像形成方法は、上記各手順を実行するための専用のハードウエア回路によっても、また、上記各手順を記述したプログラムをＣＰＵが実行することによっても実現することができる。後者により本発明を実現する場合、画像形成装置を動作させる上記プログラムは、フロッピー（登録商標）ディスクやＣＤ−ＲＯＭ等のコンピュータ読み取り可能な記録媒体によって提供されてもよいし、インターネット等のネットワークを介してオンラインで提供されてもよい。この場合、コンピュータ読み取り可能な記録媒体に記録されたプログラムは、通常、ＲＯＭやハードディスク等に転送され記憶される。また、このプログラムは、たとえば、単独のアプリケーションソフトとして提供されてもよいし、画像形成装置の一機能としてその装置のソフトウエアに組み込んでもよい。
【産業上の利用可能性】
【００６７】
上述したように、本発明によれば、手書きによる書き込み等により原稿画像が複数回更新されている場合に、原稿自体に原稿画像の履歴情報を蓄積してこれを利用することのできる画像処理装置が提供される。
【図面の簡単な説明】
【００６８】
【図１】本発明の実施形態にかかるＭＦＰ１００の構成を示すブロック図である。
【図２】ＭＦＰ１００の構成を示す概略図である。
【図３】ＩＣタグ付き原稿２００の構成を示す概略図である。
【図４】ＭＦＰ１００の画像処理の手順を示すフローチャートである。
【図５】図４におけるＭＦＰ１００の履歴保存処理の手順を示すフローチャートである。
【図６】図４におけるＭＦＰ１００の差分画像データ抽出処理の手順を示すフローチャートである。
【図７】図４におけるＭＦＰ１００の画像出力処理の手順を示すフローチャートである。
【図８】図４におけるＭＦＰ１００の履歴情報消去処理の手順を示すフローチャートである。
【００６９】
【図９】ＭＦＰ１００の操作部１３０のタッチパネルに表示する画面の一例である。
【図１０】ＭＦＰ１００が原稿のＩＣタグから読み出す履歴情報テーブルの一例を示す図である。
【図１１】ＭＦＰ１００の操作部１３０のタッチパネルに表示する画面の一例である。
【図１２】ＭＦＰ１００の操作部１３０のタッチパネルに表示する画面の一例である。
【図１３】ＭＦＰ１００の履歴保存モードを説明するための概念図である。
【図１４】ＭＦＰ１００の差分画像データ抽出処理の手順を説明するための概念図である。
【図１５】ＭＦＰ１００の操作部１３０のタッチパネルに表示する画面の一例である。
【図１６】ＭＦＰ１００の操作部１３０のタッチパネルに表示する画面の一例である。
【図１７】ＭＦＰ１００の操作部１３０のタッチパネルに表示する画面の一例である。
【図１８】ＭＦＰ１００の操作部１３０のタッチパネルに表示する画面の一例である。
【符号の説明】
【００７０】
１００  ＭＦＰ、
１１０  制御部、
１２０  記憶部、
１３０  操作部、
１４０  ＩＣタグ読み書き部、
１５０  画像読み取り部、
１６０  印刷部、
１７０  通信インタフェース、
１８０  バス。
【図１】
2005223863.tif 000003
【図２】
2005223863.tif 000004
【図３】
2005223863.tif 000005
【図４】
2005223863.tif 000006
【図５】
2005223863.tif 000007
【図６】
2005223863.tif 000008
【図７】
2005223863.tif 000009
【図８】
2005223863.tif 000010
【図９】
2005223863.tif 000011
【図１０】
2005223863.tif 000012
【図１１】
2005223863.tif 000013
【図１２】
2005223863.tif 000014
【図１３】
2005223863.tif 000015
【図１４】
2005223863.tif 000016
【図１５】
2005223863.tif 000017
【図１６】
2005223863.tif 000018
【図１７】
2005223863.tif 000019
【図１８】
2005223863.tif 000020